(57)【要約】【課題】地上波デジタル放送受信装置の形状を小さくする。【解決手段】混合器４と、周波数オフセットを設定した局部発振器１６の出力が接続されるとともに、数百ｋＨｚの第２の中間周波数を出力する混合器１５ａ，１５ｂと、ＰＬＬ回路１１及びＰＬＬ回路１２に選局データを送出するＰＬＬデータ送出器２３を設け、複数個のセグメント中の希望のセグメントを局部発振器３を制御して選局するとともに、隣接の妨害信号の周波数を、狭帯域ＳＡＷフィルタ２７の減衰域に設けるように、状態設定器２４およびＰＬＬデータ送出器２３で局部発振器３の発振周波数を制御して微少量移動させるとともに、局部発振器１６の発振周波数を制御して、前記第２の中間周波数を略固定の周波数にするものである。これにより、地上波デジタル放送受信装置の形状を小さくすることができる。【選択図】　図１
2004048537.tif 000002
【特許請求の範囲】
【請求項１】
アナログＴＶ放送波のチャンネル間に挿入されるとともに、１チャンネル中に複数個のセグメントを含む地上波デジタル放送信号が一方の入力に供給されるとともに、他方の入力には第１の局部発振器の出力が接続された第１の混合器と、この第１の混合器からの第１の中間周波数出力が接続されるとともに１セグメントの帯域幅を超える通過帯域幅を有する狭帯域フィルタと、この狭帯域フィルタの出力が一方の入力に接続されるとともに、他方の入力には第２の局部発振器の出力が接続された第２の混合器と、前記第１の局部発振器にループ接続されるとともに前記第１の局部発振器の発振周波数を制御する第１のＰＬＬ回路と、前記第２の局部発振器にループ接続されるとともに前記第２の局部発振器の発振周波数を制御する第２のＰＬＬ回路と、前記第１のＰＬＬ回路及び前記第２のＰＬＬ回路に選局データを送出するＰＬＬデータ送出器と、前記狭帯域フィルタの通過帯域内に前記アナログＴＶ放送信号が割り込む特定セグメントを受信する場合、前記ＰＬＬデータ送出器から出力された信号によって前記第１の局部発振器の発振周波数を変化させるとともに、前記第２の局部発振器の発振周波数を制御して、前記第２の混合器から出力される第２の中間周波数を略固定の周波数へ変換する地上波デジタル放送受信装置であって、前記地上波デジタル放送受信装置は、前記ＰＬＬデータ送出器の入力に接続されるとともに前記狭帯域フィルタの通過帯域周波数のバラツキに応じて第１の中間周波数の周波数を予め定められた周波数より変化させる指示をする状態設定器を有し、この状態設定器は、前記特定セグメントを受信する場合に前記第１の中間周波数を変化させて前記アナログＴＶ放送信号が前記狭帯域ＳＡＷフィルタの減衰域に設けられるように制御する地上波デジタル放送受信装置。
【請求項２】
第２の混合器の出力が接続されるとともに１セグメント分の帯域幅を有するローパスフィルタを有した請求項１に記載の地上波デジタル放送受信装置。
【請求項３】
状態設定器の入力に接続して設けられた記憶部を有し、この記憶部には狭帯域フィルタの通過周波数帯域のバラツキに対応した周波数の変化量が記憶された請求項１に記載の地上波デジタル放送受信装置。
【請求項４】
状態設定器はこの状態設定器の入力に接続された記憶部のデータに応じてＰＬＬデータ送出器を制御する請求項１に記載の地上波デジタル放送受信装置。
【請求項５】
記憶部には、妨害が発生するセグメントが記憶された請求項４に記載の地上波デジタル放送受信装置。
【請求項６】
記憶部には、妨害が発生するセグメントに対する周波数の変化量が記憶された請求項４に記載の地上波デジタル放送受信装置。
【請求項７】
記憶部は１個以上の出力端子を有し、その出力端子の出力を論理レベル“１”又は“０”に設定して、２以上の状態を設定する請求項４に記載の地上波デジタル放送受信装置。
【請求項８】
論理レベル“１”又は“０”設定は入力端子と電源端子またはグランド間に予め接続された導通手段の導通をなくすることにより行なう請求項７に記載の地上波デジタル放送受信装置。
【請求項９】
一方面側に部品が装着されたプリント基板と、このプリント基板の他方面側にパターンで構成された導通手段を有した請求項４に記載の地上波デジタル放送受信装置。
【請求項１０】
状態設定器はアナログ入力端子を有し、そのアナログ入力端子に入力される電圧に応じて、変化させる周波数を設定する請求項１に記載の地上波デジタル放送受信装置。
【請求項１１】
第１の混合器から出力される第１の中間周波数は、第１の混合器に入力される周波数よりも高くした請求項１に記載の地上波デジタル放送受信装置。
【請求項１２】
第２の混合器の出力が供給される復調器と、この復調器の出力が供給される誤り訂正器と、この誤り訂正器の一方の出力が供給される出力端子と、前記誤り訂正器の他方の出力と状態設定器との間に挿入された判定部とを有し、この判定部は特定セグメントを受信時に前記誤り訂正器のビット誤り率が予め定められた値より大きい場合に、第１の中間周波数の周波数を予め定められた周波数より変化させるように制御する請求項１に記載の地上波デジタル放送受信装置。
【請求項１３】
アナログＴＶ放送波のチャンネル間に挿入されるとともに、１チャンネル中に複数個のセグメントを含む地上波デジタル放送信号が一方の入力に供給されるとともに、他方の入力には第１の局部発振器の出力が接続された第１の混合器と、この第１の混合器からの第１の中間周波数出力が接続されるとともに１セグメントの帯域幅を超える通過帯域幅を有する狭帯域フィルタと、この狭帯域フィルタの出力が一方の入力に接続されるとともに、他方の入力には第２の局部発振器の出力が接続された第２の混合器と、前記第１の局部発振器にループ接続されるとともに前記第１の局部発振器の発振周波数を制御する第１のＰＬＬ回路と、前記第２の局部発振器にループ接続されるとともに前記第２の局部発振器の発振周波数を制御する第２のＰＬＬ回路と、前記第１のＰＬＬ回路及び前記第２のＰＬＬ回路に選局データを送出するＰＬＬデータ送出器と、このＰＬＬデータ送出器の入力に接続されるとともに前記狭帯域フィルタの通過帯域周波数のバラツキに応じて第１の中間周波数の周波数を予め定められた周波数より変化させる指示をする状態設定器と、この状態設定器の入力に接続された記憶部とを有し、前記狭帯域フィルタの通過帯域内に前記アナログＴＶ放送信号が割り込むような特定セグメントを受信する場合、前記状態設定器は、前記ＰＬＬデータ送出器から出力された信号によって前記第１の局部発振器の発振周波数を変化させて前記アナログＴＶ放送信号が前記狭帯域ＳＡＷフィルタの減衰域に設けられるように制御するとともに、前記第２の局部発振器の発振周波数を制御して、前記第２の混合器から出力される第２の中間周波数を略固定の周波数へ変換する地上波デジタル放送受信装置の製造方法であって、前記地上波デジタル放送受信装置の製造方法は、前記アナログＴＶ放送波とこのアナログＴＶ放送波のチャンネル間に挿入された複数個のセグメント信号とを前記混合器に供給する工程と、この工程の後に少なくとも前記狭帯域フィルタの下流より取り出した信号を検知する検知工程と、この検知工程で前記アナログＴＶ放送信号による妨害が検知された場合に、前記記憶部へその周波数の変化量を記憶させる記憶工程とを有した地上波デジタル放送受信装置の製造方法。
【発明の詳細な説明】
【０００１】
【発明の属する技術分野】
本発明は、アナログＴＶ放送波のチャンネル間に挿入されるとともに、アナログＴＶ放送波に比べて低出力レベルの地上波デジタル放送を受信する地上波デジタル放送受信装置とその製造方法に関するものである。
【０００２】
【従来の技術】
従来の地上波デジタル放送受信装置は図７に示すように、１チャンネル中に複数個のセグメントを含む地上波デジタル放送信号が入力されるアンテナ１と、このアンテナ１に接続された高周波増幅器２と、この高周波増幅器２の出力が一方の入力に接続されるとともに、他方の入力には局部発振器３の出力が接続された混合器４と、この混合器４の出力が接続された通過帯域が６ＭＨｚの弾性表面波（以下、ＳＡＷという）フィルタ５と、このＳＡＷフィルタ５の出力が一方の入力に接続されるとともに、他方の入力には局部発振器６の出力が接続された混合器７と、この混合器７の出力が接続された通過帯域が略４２９ｋＨｚのＳＡＷフィルタ８と、このＳＡＷフィルタ８の出力が接続された復調器９と、この復調器９の出力が接続された出力端子１０と、前記局部発振器３にループ接続されたＰＬＬ回路１１と、前記局部発振器６にループ接続されたＰＬＬ回路１２から構成されていた。
【０００３】
そして、前記１チャンネル中の複数個のセグメントの中で希望するセグメントを選局する場合は、ＰＬＬ回路１１、局部発振器３および混合器４により、そのチャンネルの中央のセグメントを選局し、混合器４の出力周波数を第１の予め決められた５７ＭＨｚ（中間周波数という）に変換し、ＳＡＷフィルタ５により選局したチャンネル外の帯域を減衰させていた。また、ＰＬＬ回路１２、局部発振器６及び混合器７で所望のセグメントの周波数を第２の予め決められた周波数（４ＭＨｚ）に再度変換してＳＡＷフィルタ８で希望セグメントのみを通過させ、それ以外の信号を減衰させていた。そして、復調器９でデジタル信号に変換し、出力端子１０から出力していた。
【０００４】
【発明が解決しようとする課題】
ところで、上記地上波デジタル放送は一般に上下隣接に高いレベルのアナログＴＶ放送信号が存在している。この隣接のアナログＴＶ放送信号も同時にアンテナ１に入力されるため、混合器４の出力にも、上記地上波デジタル放送信号の中間周波数と、こ地上波デジタル放送信号と同時に入力されたアナログＴＶ放送信号の中間周波数が、それらの放送信号の周波数の差だけ離れたところに存在することになる。そして、一般に上記地上波デジタル放送信号の出力レベルは上記アナログＴＶ放送信号の出力レベルよりかなり小さいため、地上波デジタル放送信号を受信する際に前記アナログＴＶ放送信号が妨害になる。
【０００５】
このアナログＴＶ放送信号からの妨害を減少させるために、１チャンネルの放送波帯を通過させる通過帯域６ＭＨｚのＳＡＷフィルタ５、及び１セグメントの放送波を通過させる略４２９ｋＨｚのＳＡＷフィルタ８を設けている。しかし、高価なＳＡＷフィルタを２個使用していること及び、混合器４の出力周波数が５７ＭＨｚおよび復調器９への入力周波数が４ＭＨｚ程度であるため、ＳＡＷフィルタの形状が大きく、例えば地上波デジタル放送の特徴である携帯受信向けの受信装置への搭載には、形状が大きくなるという課題があった。
【０００６】
本発明は、このような問題点を解決するもので、形状の小さい地上波デジタル放送受信装置を提供することを目的としたものである。
【０００７】
【課題を解決するための手段】
この目的を達成するために本発明の地上波デジタル放送受信装置は、地上波デジタル放送信号が一方の入力に供給されるとともに、他方の入力には第１の局部発振器の出力が接続された第１の混合器と、この第１の混合器からの第１の中間周波数出力が接続されるとともに１セグメントの帯域幅を超える通過帯域幅を有する狭帯域フィルタと、この狭帯域フィルタの出力が一方の入力に接続されるとともに、他方の入力には第２の局部発振器の出力が接続された第２の混合器と、第１のＰＬＬ回路及び前記第２のＰＬＬ回路に選局データを送出するＰＬＬデータ送出器と、狭帯域フィルタの通過帯域内にアナログＴＶ放送信号が割り込む特定セグメントを受信する場合、前記ＰＬＬデータ送出器から出力された信号によって第１の局部発振器の発振周波数を変化させるとともに、第２の局部発振器の発振周波数を制御して、第２の混合器から出力される第２の中間周波数を略固定の周波数へ変換する地上波デジタル放送受信装置であって、前記ＰＬＬデータ送出器の入力に接続されるとともに狭帯域フィルタの通過帯域周波数のバラツキに応じて第１の中間周波数の周波数を予め定められた周波数より変化させる指示をする状態設定器を有し、この状態設定器は、前記特定セグメントを受信する場合に前記第１の中間周波数を変化させて前記アナログＴＶ放送信号が前記狭帯域ＳＡＷフィルタの減衰域に設けられるように制御するものである。
【０００８】
従って、狭帯域フィルタの通過帯域のバラツキによる影響を受けずに、妨害波を充分に減衰することができるので、第２の混合器に接続されるバンドパスフィルタの減衰量が少なくて良い。つまり、このバンドパスフィルタとして大型のＳＡＷフィルタを使用する必要がないので、地上波デジタル放送受信装置の形状を小さくすることができる。
【０００９】
【発明の実施の形態】
本発明の請求項１に記載の発明は、アナログＴＶ放送波のチャンネル間に挿入されるとともに、１チャンネル中に複数個のセグメントを含む地上波デジタル放送信号が一方の入力に供給されるとともに、他方の入力には第１の局部発振器の出力が接続された第１の混合器と、この第１の混合器からの第１の中間周波数出力が接続されるとともに１セグメントの帯域幅を超える通過帯域幅を有する狭帯域フィルタと、この狭帯域フィルタの出力が一方の入力に接続されるとともに、他方の入力には第２の局部発振器の出力が接続された第２の混合器と、前記第１の局部発振器にループ接続されるとともに前記第１の局部発振器の発振周波数を制御する第１のＰＬＬ回路と、前記第２の局部発振器にループ接続されるとともに前記第２の局部発振器の発振周波数を制御する第２のＰＬＬ回路と、前記第１のＰＬＬ回路及び前記第２のＰＬＬ回路に選局データを送出するＰＬＬデータ送出器と、前記狭帯域フィルタの通過帯域内に前記アナログＴＶ放送信号が割り込む特定セグメントを受信する場合、前記ＰＬＬデータ送出器から出力された信号によって前記第１の局部発振器の発振周波数を変化させるとともに、前記第２の局部発振器の発振周波数を制御して、前記第２の混合器から出力される第２の中間周波数を略固定の周波数へ変換する地上波デジタル放送受信装置であって、前記地上波デジタル放送受信装置は、前記ＰＬＬデータ送出器の入力に接続されるとともに前記狭帯域フィルタの通過帯域周波数のバラツキに応じて第１の中間周波数の周波数を予め定められた周波数より変化させる指示をする状態設定器を有し、この状態設定器は、前記特性セグメントを受信する場合に前記第１の中間周波数を変化させて前記アナログＴＶ放送信号が前記狭帯域ＳＡＷフィルタの減衰域に設けられるように制御する地上波デジタル放送受信装置であり、ＳＡＷフィルタの通過帯域の周波数がばらついても妨害波は、ＳＡＷフィルタの減衰域になるように制御するので、妨害波の減衰量が大きくなり、第２の混合器の後は少ない減衰量のローパスフィルタ接続で良く、ＳＡＷフィルタを使用する必要がない。従って、地上波デジタル放送受信装置の小型化と低価格化を図ることができる。
【００１０】
請求項２に記載の発明は、第２の混合器の出力が接続されるとともに１セグメント分の帯域幅を有するローパスフィルタを有した請求項１に記載の地上波デジタル放送受信装置であり、これによりさらに妨害を小さくすることができるとともにローパスフィルタで良いので安価な地上波デジタル放送受信装置を実現することができる。
【００１１】
請求項３に記載の発明は、状態設定器の入力に接続して設けられた記憶部を有し、この記憶部には狭帯域フィルタの通過周波数帯域のバラツキに対応した周波数の変化量が記憶された請求項１に記載の地上波デジタル放送受信装置であり、これにより記憶部が狭帯域フィルタの通過帯域のバラツキに応じた周波数の変化量を記憶しているので、容易に周波数を変化させることができる。
【００１２】
請求項４に記載の発明における状態設定器は、この状態設定器の入力に接続された記憶部のデータに応じてＰＬＬデータ送出器を制御する請求項１に記載の地上波デジタル放送受信装置であり、これにより記憶部のデータにより周波数を変化しているので、容易に周波数を変化させることができる。
【００１３】
請求項５に記載の発明における記憶部には、妨害が発生するセグメントが記憶された請求項４に記載の地上波デジタル放送受信装置でありこれにより妨害が発生するセグメントに対して、前記第１の中間周波数を変化させることができるので、前記アナログＴＶ放送信号を前記狭帯域ＳＡＷフィルタの減衰域に設けるようにすることができる。
【００１４】
請求項６に記載の発明における記憶部には、妨害が発生するセグメントに対する周波数の変化量が記憶された請求項４に記載の地上波デジタル放送受信装置であり、これにより妨害が発生するセグメントに応じた周波数の変化量を記憶することができ、セグメント毎に最適な変化量を記憶させることができるので、セグメント毎に最適に第１の中間周波数を設定し、前記アナログＴＶ放送信号を狭帯域ＳＡＷフィルタの減衰域に設けるようにすることができる。
【００１５】
請求項７の記載における記憶部は１個以上の出力端子を有し、その出力端子の出力を論理レベル“１”又は“０”に設定して、２以上の状態を設定する請求項４に記載の地上波デジタル放送受信装置であり、前記ＳＡＷフィルタの通過帯域周波数がばらついた場合にも前記第１の局部発振周波数の移動量を複数変化でき、確実に隣接のアナログＴＶ放送の映像搬送波信号または音声搬送波信号の第１の中間周波数が前記狭帯域ＳＡＷフィルタの減衰域に設けられるようにできるので、地上波デジタル放送を良好に受信できる。
【００１６】
請求項８に記載の発明は、論理レベル“１”又は“０”設定は入力端子と電源端子またはグランド間に予め接続された導通手段の導通をなくすることにより行なう請求項７に記載の地上波デジタル放送受信装置であり、全ての部品をプリント基板に搭載後に状態設定器の状態を設定することができ、受信装置の製造が容易になる。
【００１７】
請求項９に記載の発明は、一方面側に部品が装着されたプリント基板と、このプリント基板の他方面側にパターンで構成された導通手段を有した請求項４に記載の地上波デジタル放送受信装置であり、一般的に高周波回路は部品実装面はシールドケースで覆われるため、前記パターンを部品実装の反対面に設け、そのパターンを切断して導通をなくすることにより、状態設定器の状態設定ができるので、受信装置の製造が容易になる。
【００１８】
請求項１０に記載の発明は、状態設定器はアナログ入力端子を有し、そのアナログ入力端子に入力される電圧に応じて、変化させる周波数を設定する請求項１に記載の地上波デジタル放送受信装置であり、前記状態設定器の入力端子数が少なくて良い。
【００１９】
請求項１１に記載の発明は、第１の混合器から出力される第１の中間周波数は、第１の混合器に入力される周波数よりも高くした請求項１に記載の地上波デジタル放送受信装置であり、第１の混合器からの出力周波数が高くなるので、ＳＡＷフィルタは小型化が図れるとともに、ローパスフィルタは普通のインダクタとチップコンデンサとで構成することや、集積回路に内蔵することができるので、小型化が図れるとともに、低価格化を図ることができる。また、イメージ妨害を少なくすることもできる。さらに、第１の混合回路から出力される周波数を入力端子に入力される周波数の２倍程度にすれば、イメージ妨害を除去することができる。
【００２０】
請求項１２に記載の発明は、第２の混合器の出力が供給される復調器と、この復調器の出力が供給される誤り訂正器と、この誤り訂正器の一方の出力が供給される出力端子と、前記誤り訂正器の他方の出力と状態設定器との間に挿入された判定部とを有し、この判定部は特定セグメントを受信時に前記誤り訂正器のビット誤り率が予め定められた値より大きい場合に、第１の中間周波数の周波数を予め定められた周波数より変化させるように制御する請求項１に記載の地上波デジタル放送受信装置であり、これによりビット誤り率の値を検知した結果に応じて制御できるので、狭帯域フィルタの通過帯域のバラツキによる影響を受けずに、妨害波を充分に減衰することができるので、第２の混合器に接続されるバンドパスフィルタの減衰量は少なくて良い。つまり、このバンドパスフィルタとして大型のＳＡＷフィルタを使用する必要がないので、地上波デジタル放送受信装置の形状を小さくすることができる。
【００２１】
さらに、狭帯域フィルタの温度等による通過帯域の変動によるビット誤り率も改善することができる。
【００２２】
請求項１３に記載の発明は、アナログＴＶ放送波のチャンネル間に挿入されるとともに、１チャンネル中に複数個のセグメントを含む地上波デジタル放送信号が一方の入力に供給されるとともに、他方の入力には第１の局部発振器の出力が接続された第１の混合器と、この第１の混合器からの第１の中間周波数出力が接続されるとともに１セグメントの帯域幅を超える通過帯域幅を有する狭帯域フィルタと、この狭帯域フィルタの出力が一方の入力に接続されるとともに、他方の入力には第２の局部発振器の出力が接続された第２の混合器と、前記第１の局部発振器にループ接続されるとともに前記第１の局部発振器の発振周波数を制御する第１のＰＬＬ回路と、前記第２の局部発振器にループ接続されるとともに前記第２の局部発振器の発振周波数を制御する第２のＰＬＬ回路と、前記第１のＰＬＬ回路及び前記第２のＰＬＬ回路に選局データを送出するＰＬＬデータ送出器と、このＰＬＬデータ送出器の入力に接続されるとともに前記狭帯域フィルタの通過帯域周波数のバラツキに応じて第１の中間周波数の周波数を予め定められた周波数より変化させる指示をする状態設定器と、この状態設定器の入力に接続された記憶部とを有し、前記狭帯域フィルタの通過帯域内に前記アナログＴＶ放送信号が割り込むような特定セグメントを受信する場合、前記状態設定器は、前記ＰＬＬデータ送出器から出力された信号によって前記第１の局部発振器の発振周波数を変化させて前記アナログＴＶ放送信号が前記狭帯域ＳＡＷフィルタの減衰域に設けられるように制御するとともに、前記第２の局部発振器の発振周波数を制御して、前記第２の混合器から出力される第２の中間周波数を略固定の周波数へ変換する地上波デジタル放送受信装置の製造方法であって、前記地上波デジタル放送受信装置の製造方法は、前記アナログＴＶ放送波とこのアナログＴＶ放送波のチャンネル間に挿入された複数個のセグメント信号とを前記混合器に供給する工程と、この工程の後に少なくとも前記狭帯域フィルタの下流より取り出した信号を検知する検知工程と、この検知工程で前記アナログＴＶ放送信号による妨害が検知された場合に、前記記憶部へその周波数の変化量を記憶させる記憶工程とを有した地上波デジタル放送受信装置の製造方法であり、これにより狭帯域フィルタの通過帯域のバラツキに応じて第１の中間周波数の値を最適に変化させることができるので、妨害を充分に除去することができる。
【００２３】
以下、本発明の実施の形態について、図面に基づいて説明する。図２は実施の形態における地上波デジタル放送受信装置の放送信号の説明図である。
【００２４】
図２において、６０は例えばアナログＴＶ放送の６チャンネルの信号であり、６１はアナログＴＶ放送の８チャンネルの信号である。そして、これらのアナログＴＶ放送の６チャンネル信号６０と８チャンネル信号６１との間に地上波デジタル放送の７チャンネル信号６２が挿入されている。
【００２５】
６０ａは、６チャンネル信号６０の映像搬送波信号であり、６０ｂは６チャンネル信号６０の音声搬送波信号である。映像搬送波信号６０ａと音声搬送波信号６０ｂとの間隔は４．５ＭＨｚであり、映像搬送波信号６０ａのレベルは音声搬送波信号６０ｂのレベルより略６ｄＢ大きい。
【００２６】
同様に、６１ａは、８チャンネル信号６１の映像搬送波信号であり、６１ｂは８チャンネル信号６１の音声搬送波信号である。映像搬送波信号６１ａと音声搬送波信号６１ｂとの間隔は４．５ＭＨｚであり、映像搬送波信号６１ａのレベルは音声搬送波信号６１ｂのレベルより略６ｄＢ大きい。
【００２７】
また、７チャンネル信号６２内には８つのセグメント６３が挿入されており、夫々が異なる内容のデジタル放送を送信している。このセグメント６３の幅は略４２９ｋＨｚである。また、このセグメント６３のレベルは映像搬送波信号６０ａ，６１ａや音声搬送波信号６０ｂ，６１ｂに比べてそのレベルがかなり小さい。本発明はこのようなデジタル放送信号とアナログＴＶ放送信号の混在や出力レベルの相違する放送波から確実にデジタル放送波を受信するためのものである。
【００２８】
（実施の形態１）
本実施の形態１について以下図を用いて説明する。
【００２９】
図１は、本発明の実施の形態１における地上波デジタル放送受信装置のブロック図である。実施の形態１では、ＳＡＷフィルタ２７の通過帯域が存在する周波数域のバラツキが存在しているものを扱っている。
【００３０】
１は、１チャンネルの周波数が７つのセグメントに分割された信号を含む地上波デジタル放送信号が入力されるアンテナであり、このアンテナ１には、約９０ＭＨｚから約７７０ＭＨｚまでの周波数が入力される。なお、この周波数帯域内にはアナログＴＶ信号と、このアナログＴＶ信号の間にデジタルＴＶ放送信号が挿入されて配列されている。
【００３１】
２は、アンテナ１に接続された広帯域な高周波増幅器であり、前記アンテナ１に入力された信号を増幅するものである。
【００３２】
４は、高周波増幅器２の出力が一方の入力に接続されるとともに、他方の入力には局部発振器３の出力が接続され、第１の中間周波数を出力する混合器である。この第１の中間周波数は入力信号の最大周波数の約１．５倍の略１２０５ＭＨｚと高い周波数にしているが、これは放送信号の高調波歪等による妨害や携帯電話からの妨害が起こりにくくするためである。
【００３３】
２７は、混合器４の出力が接続されたＳＡＷフィルタ（狭帯域フィルタの一例として用いた）である。このＳＡＷフィルタ２７は、中間周波数が略１２０５ＭＨｚで通過帯域が略１．６ＭＨｚとしている。ところがこのＳＡＷフィルタの中間周波数が１２０５ＭＨｚと非常に高いので、その通過帯域のバラツキは大きくなる。
【００３４】
１５ａ，１５ｂは、ＳＡＷフィルタ２７の出力が一方の入力に接続されるとともに、他方の入力には局部発振器１６の出力が接続され、位相が互いに９０°異なる２つの略５００ｋＨｚの第２の中間周波数を出力する混合器である。従って、直接的にＩ，Ｑ信号を抽出することができる。
【００３５】
２１ａ，２１ｂは、混合器１５ａ，１５ｂの出力が接続されたローパスフィルタである。このローパスフィルタ２１ａ，２１ｂは、１セグメントの信号のみが通過できるように約４２９ｋＨｚの通過帯域を有したフィルタであり、チップコンデンサとチップインダクタによって構成されている。
【００３６】
１７は、ローパスフィルタ２１ａ，２１ｂの出力が接続された復調器である。この復調器では、前記ローパスフィルタ２１ａ，２１ｂからのＩ信号、Ｑ信号からＯＦＤＭ復調を行い、デジタル信号を得ている。
【００３７】
１８は、この復調器１７の出力が接続された誤り訂正器であり、この誤り訂正器１８の出力が端子１９に接続されている。ここで誤り訂正器１８は、復調器１７の出力に接続されたビタビ訂正器と、このビタビ訂正器の出力が接続されたリードソロモン訂正器とから構成されている。
【００３８】
ここでビタビ訂正器は、復調されたデジタル信号が予め定められた規則に反していないかどうかを判定し、違反している箇所について信号の訂正、復元を行なうものである。さらにリードソロモン訂正器ではビタビ訂正器で訂正されたデジタル信号を再度訂正、復元するものである。一般的にこのリードソロモン訂正器での訂正のためのリードソロモンデータは、予め画像信号データに付して送信されて来る。そこで、リードソロモン訂正器では、そのリードソロモンデータと、送られた画像信号とからデジタル信号を訂正、復元するものである。
【００３９】
なお、各国でそのデジタル信号のビット数や、リードソロモンデータのビット数は異なるが、一般的にはビタビ訂正器の出力でのビット誤り率が０．０００２以下である場合には、リードソロモン訂正器の出力のビット誤り率を０とすることができるとされている。
【００４０】
ここで、受信周波数帯域内に妨害波が存在すると、ビット誤り訂正器１８の訂正によって出力信号のビット誤り率を０とすることができず、元の情報を完全に再生することができなくなるので、ビット誤り率が悪くならないように妨害信号を減衰させることが重要である。
【００４１】
次に、２３は前記局部発振器３にループ接続されたＰＬＬ回路１１と、前記局部発振器１６にループ接続されたＰＬＬ回路１２と、ＰＬＬ回路１１およびＰＬＬ回路１２にＰＬＬデータを送出するＰＬＬデータ送出器である。
【００４２】
２４は、ＰＬＬデータ送出器２３に接続されるとともに、記憶部２５からの出力に接続して設けられた状態設定器である。この状態設定器２４は、記憶部２５に記憶されたデータに応じて、第１の中間周波数を予め定められた約１２０５ＭＨｚの周波数から変化させるためにＰＬＬデータ送出器２３にデータを送出するものである。
【００４３】
本実施の形態１においてはＰＬＬデータ送出器２３と状態設定器２４とは一つのマイコン２８内に収められているので、地上波デジタル放送受信装置を小型化することができる。
【００４４】
２６ａ，２６ｂは記憶部２５に設けられたスイッチであり、このスイッチ２６ａ，２６ｂのオン、またはオフの状態によって４つの状態を記憶するようにしてある。なお本実施の形態１においてはスイッチ２６ａ，２６ｂはプリント基板のパターンで形成し、このパターンを切断することによって状態の記憶をさせている。従って、記憶部２５の記憶はパターンを切断することで機械的に記憶することとなるので、長期間の停電や落雷などに対しても、記憶が消失することはない。
【００４５】
２０は、状態設定器２４と誤り訂正器１８との間に挿入されて接続された検知器である。この検知器２０では誤り訂正器１８の信号の誤り率を検知し、その値が０．０００２を超えた場合に状態設定器２４にＰＬＬデータ送出器２３のデータを変更するように制御する指示を与えるものである。
【００４６】
以降、本実施の形態１において、ＳＡＷフィルタ２７に通過帯域の周波数のバラツキが存在する場合（通過帯域周波数が高くなると周波数域のバラツキが大きくなる）に対しての動作について説明する。
【００４７】
第１の中間周波数を固定すると、ＳＡＷフィルタ２７のバラツキにより、隣接チャンネルのアナログ放送波がＳＡＷフィルタにより減衰できない場合が存在する。そこで、アンテナ１に図２の地上波デジタル放送信号６２の最端セグメント６３ａおよびアナログＴＶ放送波信号６０が同時に入力されると、ＰＬＬデータ送出器により、局部発振器３の発振周波数を微少量移動させ、第１の中間周波数を微少量移動させる。
【００４８】
そして、例えばＳＡＷフィルタ２７の出力でセグメント６３ａおよびアナログ放送波信号６０の音声信号６０ｂの信号レベルを観察し、音声信号６０ｂの信号レベルが予め設定されたレベルまで減衰した時の局部発振周波数の移動量を予め設定された状態設定器２４の設定分類に合わせてプリント基板のパターンで構成されたスイッチ２６ａ，２６ｂのどれかを切断する。もちろん切断しない場合もある。これにより、状態設定器２４の状態を設定する。
【００４９】
図３に第１の中間周波数の移動状況の一例を示す。図３において、（ａ）はセグメント３２を選局し、第１の中間周波数を３９ａとした時（例えば１２０５ＭＨｚ）であり、隣接アナログ放送の搬送波３３がＳＡＷフィルタ２７の通過帯域３７内に入っているため、隣接アナログ放送の搬送波３３を減衰させることができない。
【００５０】
（ｂ）は同じくセグメント３２を選局し、第１の中間周波数を３９ｂ＝３９ａ＋Δｆ１に移動した時を示す。この時はまだ隣接アナログ放送の搬送波３３はＳＡＷフィルタ２７の減衰域３７ｂに近づいているがまだ充分ではない。
【００５１】
（ｃ）はさらに第１の中間周波数を移動し、３９ｃ＝３９ａ＋Δｆ２に移動した時を示す。この時は隣接アナログ放送の搬送波３３がＳＡＷフィルタ２７の減衰域３７ｂに入っているので隣接アナログ放送の搬送波３３を減衰させることができる。
【００５２】
これにより、前記Δｆ２の移動量はＳＡＷフィルタ２７の通過帯域周波数のバラツキに応じて変動することとなる。
【００５３】
図６は、本発明の実施の形態における、状態設定器の論理表であり、Δｆ２とスイッチ２６ａ，２６ｂの切断による予め決めた状態設定表の一例を示している。
【００５４】
すなわち、Δｆ２は上記で観測された周波数の移動量であり、Δｆ２は観測されたＳＡＷフィルタの通過帯域周波数のバラツキにより、様々な値をとることとなる。スイッチ２６ａ（ＳＷ２６ａ）、スイッチ２６ｂ（ＳＷ２６ｂ）はΔｆ２の範囲を予め設定し、Δｆ２の予め決められた範囲毎に論理を決めたものである。Δｆ３はスイッチ２６ａ、スイッチ２６ｂの論理状態毎に予め決められた一定の周波数移動量であり、状態設定器２４はΔｆ３の周波数移動をＰＬＬデータ送出器に指示する。指示する方法は状態設定器２４からのデジタルデータにより、マイコン等でＰＬＬデータ送出器のＰＬＬデータを変更すればよい。例えばΔｆ２＝１７０ｋＨｚとすると、スイッチ２６ａを論理“０”にし、スイッチ２６ｂを論理“１”にするべく、スイッチ２６ｂのパターンを切断して受信装置として完成させる。
【００５５】
この受信装置を使用して地上波デジタル放送を受信する時は、状態設定器２４からΔｆ３＝１５０ｋＨｚの移動量を指示し、ＰＬＬデータ送出器２３は局部発振器３の発振周波数を前記第１の中間周波数が１２０５ＭＨｚ＋１５０ｋＨｚになるように制御する。この時、状態設定器２４からの１５０ｋＨｚの移動量指示に基づきＰＬＬデータ送出器２３は局部発振器１６の発振周波数を１５０ｋＨｚ移動させ、混合器１５ａ，１５ｂの出力である第２の中間周波数が一定になるようにも働く。
【００５６】
次に、図４に、図３における（ｃ）の時の状態を３種類のＳＡＷフィルタ通過帯域と第１の中間周波数の周波数設定例として示す。図４において、（ｄ）の場合は第１の中間周波数３９ｄが状態設定器２４の入力を例えばデジタル信号（０，１）にした時の周波数、（ｅ）の場合は第１の中間周波数３９ｅが状態設定器２４の入力を例えばデジタル信号（１，０）にした時の周波数、（ｆ）の場合は第１の中間周波数３９ｆが状態設定器２４の入力を例えばデジタル信号（０，０）にした時の周波数となる。
【００５７】
なお、本実施の形態において、記憶部２５はパターンを切断することで状態を記憶したが、これはメモリ等電気的あるいは電気磁気的な記憶媒体を用いて記憶しても良い。この場合予めパターンを切断しておく必要はなく、購入者が購入後でも記憶部の内容を書き換えることができるので、例えばチャンネルサーチ等を行うと同時に、ＳＡＷフィルタ２７あるいは検知器２０からの出力でセグメント６３ａおよびアナログ放送波信号６０の音声信号６０ｂの信号レベルを観察し、その結果によって記憶部２５へ情報を記憶させても良い。
【００５８】
以上の構成により、ＳＡＷフィルタの通過帯域の周波数がバラツキに係わらず、常に妨害波をＳＡＷフィルタの減衰域になるように制御することができるので、妨害波の減衰量が大きくなり、第２の混合器の後にはＳＡＷフィルタを使用する必要はなく、減衰量の小さいローパスフィルタで充分である。従って、地上波デジタル放送受信装置の小型化と低価格化を図ることができるという効果を有するものである。
【００５９】
次に、図５は本発明の一実施の形態の製品図であり、（ａ）は側面の断面図である。多層基板７０、状態設定器を含む半導体７１、抵抗、コンデンサ等の電気部品７２、金属シールド板７３およびビアホール７４等から構成されている。（ｂ）は底面図であり、ビアホール７４とグランドパターン７６を結ぶスイッチ２６を構成するパターン７５を示し、このパターン７５を切断することで状態の設定を行っている。
【００６０】
この構成によってパターン７５は部品が実装され、金属シールド板７３が設けられた面と反対側に設けられているので、容易に切断をすることができる。
【００６１】
なお、本実施の形態においては、ＳＡＷフィルタ２７の出力でセグメント６３ａおよびアナログ放送波信号６０の音声信号６０ｂの信号レベルを観察しているが、これは検知器２０のビット誤り率によって判定しても良い。この場合、検知器に応じて状態設定器２４がＰＬＬデータ送出器に移動周波数のデータを送れば良く、別途検知するための機器を設ける必要はないので、安価な地上波デジタル放送受信装置を得ることができる。
【００６２】
また、狭帯域フィルタが温度特性を有し、温度によってその通過周波数帯域が変化するような場合に対しても、狭帯域フィルタの温度による変化に係わらず妨害波をＳＡＷフィルタの減衰域になるように制御することができるので、妨害波の減衰量が大きくなり、第２の混合器の後にはＳＡＷフィルタを使用する必要はなく、減衰量の小さいローパスフィルタで充分である。従って、地上波デジタル放送受信装置の小型化と低価格化を図ることができる。
【００６３】
さらに本実施の形態においてはＰＬＬデータ送出器２３と状態設定器２４とは一つのマイコン２８内に収め、記憶部２５の出力をマイコン２８に接続し、このマイコン２８の出力をＰＬＬ回路１１，１２のデータ端子に接続している。しかし、これは復調器１７のデータ端子とマイコンのデータ端子を共通データバスで接続し、この共通データバスを利用してデータの送受を行い、復調器１７のデータ出力端子（図示せず）を介してＰＬＬ回路１１，１２へデータを送出しても良い。この場合共通データバスを利用しているので、データのやり取りにおける配線等を容易にすることができる。
【００６４】
なお、この場合復調器１７とＰＬＬ回路１１，１２との間についても共通データバスとし、データの送信を行っても良い。
【００６５】
【発明の効果】
以上のよう本発明の地上波デジタル放送受信装置によれば、地上波デジタル放送信号が一方の入力に供給されるとともに、他方の入力には第１の局部発振器の出力が接続された第１の混合器と、この第１の混合器からの第１の中間周波数出力が接続されるとともに１セグメントの帯域幅を超える通過帯域幅を有する狭帯域フィルタと、この狭帯域フィルタの出力が一方の入力に接続されるとともに、他方の入力には第２の局部発振器の出力が接続された第２の混合器と、第１のＰＬＬ回路及び前記第２のＰＬＬ回路に選局データを送出するＰＬＬデータ送出器と、前記狭帯域フィルタの通過帯域内にアナログＴＶ放送信号が割り込む特定セグメントを受信する場合、前記ＰＬＬデータ送出器から出力された信号によって前記第１の局部発振器の発振周波数を変化させるとともに、前記第２の局部発振器の発振周波数を制御して、前記第２の混合器から出力される第２の中間周波数を略固定の周波数へ変換する地上波デジタル放送受信装置であって、前記ＰＬＬデータ送出器の入力に接続されるとともに前記狭帯域フィルタの通過帯域周波数のバラツキに応じて第１の中間周波数の周波数を予め定められた周波数より変化させる指示をする状態設定器を有し、この状態設定器は、前記特定セグメントを受信する場合に前記第１の中間周波数を変化させて前記アナログＴＶ放送信号が前記狭帯域ＳＡＷフィルタの減衰域に設けられるように制御するものである。
【００６６】
従って、狭帯域フィルタの通過帯域のバラツキによる影響を受けずに、妨害波を充分に減衰することができるので、第２の混合器に接続されるバンドパスフィルタの減衰量が少なくて良い。つまり、このバンドパスフィルタとして大型のＳＡＷフィルタを使用する必要がないので、地上波デジタル放送受信装置の形状を小さくすることができる。妨害波がＳＡＷフィルタの減衰域になるように制御するので、妨害波の減衰量が大きくなり、第２の混合器の後は減衰量の少ないローパスフィルタ接続で良く、ＳＡＷフィルタを使用する必要がない。
【００６７】
また、第１の混合器からの出力である第１の中間周波数が高くなるので、ＳＡＷフィルタは小型化が図れるとともに、ローパスフィルタは普通のインダクタとコンデンサとで構成、あるいは集積回路に内蔵することができるので、小型化が図れるとともに、低価格化を図ることができる。また、部品を実装した後に、状態設定器の設定ができるので、製造も容易になる。すなわち、地上波デジタル放送受信装置の小型化と低価格化を図ることができるという効果を有するものである。
【図面の簡単な説明】
【図１】本発明の実施形態１における地上波デジタル放送受信装置のブロック図
【図２】同、放送信号の説明図
【図３】（ａ）は、同中間周波数の第１の状態を示す説明図
（ｂ）は、同中間周波数の第２の状態を示す説明図
（ｃ）は、同中間周波数の第３の状態を示す説明図
【図４】（ｄ）は、同ＳＡＷフィルタと中間周波数の第１の状態を示す説明図
（ｅ）は、同ＳＡＷフィルタと中間周波数の第２の状態を示す説明図
（ｆ）は、同ＳＡＷフィルタと中間周波数の第３の状態を示す説明図
【図５】本発明の実施の形態における地上波デジタル放送受信装置の製品図（ａ）は、同断面図
（ｂ）は、同底面図
【図６】本発明の実施の形態における状態設定器の論理表を示す図
【図７】従来の地上波デジタル放送受信装置のブロック図
【符号の説明】
１　入力端子
３　局部発振器
４　混合器
１１　ＰＬＬ回路
１２　ＰＬＬ回路
１４　移送器
１５ａ，１５ｂ　混合器
１６　局部発振器
１７　復調器
１８　誤り訂正器
１９　出力端子
２３　ＰＬＬデータ送出器
２４　状態設定器
２５　記憶部
２７　ＳＡＷフィルタ
【図１】
2004048537.tif 000003
【図２】
2004048537.tif 000004
【図３】
2004048537.tif 000005
【図４】
2004048537.tif 000006
【図５】
2004048537.tif 000007
【図６】
2004048537.tif 000008
【図７】
2004048537.tif 000009